(57)【要約】【課題】適正な本発光量を求めることが可能な撮影装置を提供する。【解決手段】本発明の撮影装置１０は、リモート照明装置４０に対するモニタ発光の指示発光を行なわせる信号をマスタ照明装置３０に送信するとともに、マスタ照明装置３０から送信される前記リモート照明装置４０のモニタ発光のタイミングｔ７を受信する通信部１８と、前記モニタ発光時の被写体光を測光する測光部１２と、前記マスタ照明装置３０から送信された前記モニタ発光のタイミングｔ７と前記測光部１２の測光開始時間ｔ９とに基づいて、前記指示発光が、前記測光部１２の測光結果へ与える影響を低減する補正を行なうかどうかを決定する制御部２０と、を備えることを特徴とする。【選択図】図２
2014035442.tif 000002
【特許請求の範囲】
【請求項１】
リモート照明装置に対するモニタ発光の指示発光を行なわせる信号をマスタ照明装置に送信するとともに、マスタ照明装置から送信される前記リモート照明装置のモニタ発光のタイミングを受信する通信部と、
前記モニタ発光時の被写体光を測光する測光部と、
前記マスタ照明装置から送信された前記モニタ発光のタイミングと前記測光部の測光開始時間とに基づいて、前記指示発光が、前記測光部の測光結果へ与える影響を低減する補正を行なうかどうかを決定する制御部と、
を備える撮影装置。
【請求項２】
請求項１に記載の撮影装置であって、
前記指示発光は、モニタ発光指示コマンドを含むコマンド送信発光と、モニタ発光するタイミングを知らせるトリガ発光とを含み、
前記制御部は、前記コマンド送信発光の前記測光結果への影響を低減する補正を行なうかどうかを決定すること、
を特徴とする撮影装置。
【請求項３】
請求項１または２に記載の撮影装置であって、
前記測光部はＣＭＯＳセンサであり、
前記補正は、前記ＣＭＯＳセンサにおける、全画素による受光が行なわれていない時間の測光結果の、測光結果全体に対する影響を低減させる補正であること、
を特徴とする撮影装置。
【請求項４】
請求項２または３のいずれか１項に記載の撮影装置であって、
コマンド送信発光の終了が、前記測光部の前記測光開始時間より遅い場合に、前記補正を行なうこと、
を特徴とする撮影装置。
【請求項５】
請求項２から４のいずれか１項に記載の撮影装置であって、
前記補正は、前記コマンド送信発光を受光している画素行の、測光結果全体に対する寄与度を、前記コマンド送信発光を受光していない画素行に対する寄与度より減少させる重み付けを行なうこと、
を特徴とする撮影装置。
【請求項６】
請求項２から４のいずれか１項に記載の撮影装置であって、
前記補正は、前記コマンド送信発光を受光している画素行の測光結果を、被写体光のモニタ発光による反射光量の演算に用いないこと、
を特徴とする撮影装置。
【請求項７】
請求項１から６のいずれか１項に記載の撮影装置であって、
前記マスタ照明装置は、前記撮影装置に対して着脱可能であること、
を特徴とする撮影装置。
【発明の詳細な説明】
【技術分野】
【０００１】
本発明は、撮影装置に関するものである。
【背景技術】
【０００２】
マスタ照明装置とリモート照明装置とを備える多灯システムにより、被写体を照明する照明システムがある（例えば特許文献１参照）。この多灯システムにおけるリモート照明装置の本発光量を決定する場合、リモート照明装置をモニタ発光させ、光が照射された被写体像光を露光し、本撮影の際のリモート照明装置の本発光量を決定している。
ここで、リモート照明装置をモニタ発光させる場合、マスタ照明装置は、撮影装置からの指示によりリモート照明装置に対して、まずモニタ発光指示コマンドを発光し、次いでトリガ発光する。リモート照明装置は、そのトリガ発光によってモニタ発光する。
【先行技術文献】
【特許文献】
【０００３】
【特許文献１】特開２００５−１２８１９７号公報
【発明の概要】
【発明が解決しようとする課題】
【０００４】
近年、撮影装置は、撮像センサとしてＣＭＯＳセンサを用いる場合があり、この場合、ローリングシャッタ方式が採用されることが多い。このローリングシャッタ方式の場合、全画素で同時に露光するのではなく、行ごとに時間差で露光を行なっている。このため、露光開始と終了において、全画素が露光していない時間が存在する。
この全画素が露光していない時間においてモニタ発光指示コマンドの発光が行なわれると、行ごとにモニタ発光指示コマンドの露光時間が異なり、モニタ発光による被写体からの反射光量演算の信頼性が悪化し、適正な本発光量を求めることができない。
【０００５】
本発明の課題は、適正な本発光量を求めることが可能な撮影装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、リモート照明装置（４０）に対するモニタ発光の指示発光を行なわせる信号をマスタ照明装置（３０）に送信するとともに、マスタ照明装置（３０）から送信される前記リモート照明装置（４０）のモニタ発光のタイミング（ｔ７）を受信する通信部（１８）と、前記モニタ発光時の被写体光を測光する測光部（１２）と、前記マスタ照明装置（３０）から送信された前記モニタ発光のタイミング（ｔ７）と前記測光部（１２）の測光開始時間（ｔ９）とに基づいて、前記指示発光が、前記測光部（１２）の測光結果へ与える影響を低減する補正を行なうかどうかを決定する制御部（２０）と、を備える撮影装置（１０）である。
請求項２に記載の発明は、請求項１に記載の撮影装置（１０）であって、前記指示発光は、モニタ発光指示コマンドを含むコマンド送信発光と、モニタ発光するタイミングを知らせるトリガ発光とを含み、前記制御部（２０）は、前記コマンド送信発光の前記測光結果への影響を低減する補正を行なうかどうかを決定すること、を特徴とする撮影装置（１０）である。
請求項３に記載の発明は、請求項１または２に記載の撮影装置（１０）であって、前記測光部（１２）はＣＭＯＳセンサであり、前記補正は、前記ＣＭＯＳセンサにおける、全画素による受光が行なわれていない時間の測光結果の、測光結果全体に対する影響を低減させる補正であること、を特徴とする撮影装置（１０）である。
請求項４に記載の発明は、請求項２または３のいずれか１項に記載の撮影装置（１０）であって、コマンド送信発光の終了（ｔ３）が、前記測光部（１２）の前記測光開始時間（ｔ９）より遅い場合に、前記補正を行なうこと、を特徴とする撮影装置（１０）である。
請求項５に記載の発明は、請求項２から４のいずれか１項に記載の撮影装置（１０）であって、前記補正は、前記コマンド送信発光を受光している画素行の、測光結果全体に対する寄与度を、前記コマンド送信発光を受光していない画素行に対する寄与度より減少させる重み付けを行なうこと、を特徴とする撮影装置（１０）である。
請求項６に記載の発明は、請求項２から４のいずれか１項に記載の撮影装置（１０）であって、前記補正は、前記コマンド送信発光を受光している画素行の測光結果を、被写体光のモニタ発光による反射光量の演算に用いないこと、を特徴とする撮影装置（１０）である。
請求項７に記載の発明は、請求項１から６のいずれか１項に記載の撮影装置（１０）であって、前記マスタ照明装置（３０）は、前記撮影装置（１０）に対して着脱可能であること、を特徴とする撮影装置（１０）である。
なお、符号を付して説明した構成は、適宜改良してもよく、また、少なくとも一部を他の構成物に代替してもよい。
【発明の効果】
【０００８】
本発明によれば、適正な本発光量を求めることが可能な撮影装置を提供することができる。
【図面の簡単な説明】
【０００９】
【図１】本発明の実施の形態を適用したカメラシステムのブロック構成図である。
【図２】モニタ発光制御に係るマスタ照明装置及びリモート照明装置へのモニタ発光指令およびモニタ露光のタイミングチャートである。
【図３】カメラ制御部による、モニタ発光制御のフローチャートである。
【発明を実施するための形態】
【００１０】
以下、図面等を参照して、本発明の実施形態について説明する。
図１は、本発明の実施の形態を適用したカメラシステムのブロック構成図である。
図１に示すように、カメラシステムは、カメラ１０と、このカメラ１０に対して着脱可能なマスタ照明装置３０と、カメラ１０と独立して配置されているリモート照明装置４０とにより構成される。
【００１１】
カメラ１０は、被写体光を結像させる結像光学系１１と、被写体像をアナログ信号に光電変換する撮像センサ１２と、Ａ／Ｄ変換回路１３と、画像信号に各種処理を行う画像処理部１４と、画像処理部１４によって処理された画像信号を記録する記録部１５とを備えるデジタルカメラとして構成されている。
また、カメラ１０は、撮影者が操作を行う操作部１６と、メモリ１７と、装着されたマスタ照明装置３０との間で各種信号の送受信を行う通信部１８と、当該カメラ１０における各部を制御するカメラ制御部２０と、タイミングジェネレータ２１と、を備える。
【００１２】
結像光学系１１は、フォーカスレンズやズームレンズを含む複数のレンズ群と開口絞りなどで構成されており、被写体光を撮像センサ１２の受光面に結像させる。図１では、１枚のレンズで示している。
撮像センサ１２は、結像光学系１１の像空間側に配置され、結像光学系１１によってその受光面に形成された被写体像を光電変換してアナログ画像信号を生成する。本実施形態における撮像センサ１２は、ＣＭＯＳイメージセンサによって構成されている。
【００１３】
Ａ／Ｄ変換回路１３は、撮像センサ１２から出力されたアナログ画像信号をデジタル信号に変換する。
画像処理部１４は、撮像センサ１２から出力された画像信号を増幅し、ホワイトバランス調整、ガンマ補正、輪郭強調、レベル調整等の各種画像処理を行う。
【００１４】
記録部１５は、画像処理部１４で各種の処理が施された画像信号を、当該カメラ１０に対して着脱可能な図示しないＣＦカード、ＳＤカード等の記録媒体に記録する。
操作部１６は、撮影者が各種操作を行って当該カメラ１０に対して指示を入力する手段であり、図示しないレリーズボタンなどを含む操作部材を備えている。
【００１５】
メモリ１７は、カメラ制御部２０が利用するプログラムや、プログラムの実行に必要な初期値や設定値などが記憶される不揮発性メモリである。メモリ１７は、後述するモニタ発光制御において用いられるマスタ照明装置３０における機種毎の遅延時間：Ｄｔのデータテーブルを保持している。
通信部１８は、当該カメラ１０に装着された後述するマスタ照明装置３０の通信部３４と電気的に接続され、マスタ照明装置３０の発光制御部３３との間で各種信号の送受信を行う。
表示部１９は、液晶表示パネルによって構成され、信号処理後の撮影画像や、記録部１５の記録媒体から読出した画像データの再生画像を表示する。
【００１６】
カメラ制御部２０は、ＣＰＵおよび演算処理を実行する際に必要なデータや画像信号などを一時的に記憶する揮発性メモリ等を備えて構成され、焦点検出（ＡＦ）や露光決定（ＡＥ）などの各種演算を行うと共に、カメラ動作を統括的に制御する。撮影時には、レリーズボタンの操作によって撮影開始が指示されると、結像光学系１１が備える絞りユニットを所定のタイミングで駆動し、撮像センサ１２からの画像情報の読み出し（撮影）を制御する。
【００１７】
また、カメラ制御部２０は、通信部１８を介してカメラ１０に装着されたマスタ照明装置３０と接続され、マスタ照明装置３０に対して発光指令を行って発光を制御する。
カメラ制御部２０による発光指令には、撮影に同期して行う本発光指令の他、本発光に先立って行うモニタ発光指令がある。モニタ発光は、ＴＴＬ自動調光モード等において本発光に先立ってマスタ照明装置３０を小光量でモニタ発光させ、その被写体からの反射光を撮像センサ１２で検出して本発光量の演算時に用いる被写体反射率の情報を得るためのものである。
【００１８】
カメラ制御部２０は、モニタ発光の被写体からの反射光に基づいて本発光量を演算する本発光量演算制御と、この演算により得られた本発光量に基づいてマスタ照明装置３０を本発光させる本発光制御をそれぞれ行う。カメラ制御部２０によるモニタ発光指令の制御については後に詳述する。
タイミングジェネレータ２１は、カメラ制御部２０からの指令に応じて撮像センサ１２やＡ／Ｄ変換回路１３に対するタイミング信号を生成し、供給する。
【００１９】
上記構成のカメラ１０は、撮影に際して、使用者（撮影者）による操作部１６の操作に基づくカメラ制御部２０の制御によって、撮像センサ１２が被写体像を電気信号に変換し、この電気信号から画像処理部１４が画像データを形成し、記録部１５に記録する。
また、外付けのマスタ照明装置３０が装着されて閃光発光撮影をＴＴＬ自動調光で行う場合には、通信部１８を介してその発光指令制御を行う。
【００２０】
マスタ照明装置３０は、発光部３１と、駆動回路３２と、マスタ照明装置３０内の各部の制御を行う発光制御部３３と、通信部３４と、メモリ３５と、を備えている。
発光部３１は、キセノン管および反射板等を備えて構成され、後述する駆動回路２２から印可される高電圧によって、キセノン間から放電による閃光を発する。発光部３１の前面側には、フレネルレンズが設けられている。ただしキセノン管に限定されず、ＬＥＤ等であってもよい。
駆動回路３２は、図示しないが、電源としての電池、昇圧トランス、昇圧回路およびメインコンデンサ、スイッチング素子等を備えて構成され、発光制御部３３からの指令に基づいて発光部３１に高圧の直流電圧を印可する。
【００２１】
発光制御部３３は、ＣＰＵ等を備えて構成され、当該マスタ照明装置３０の動作を統括制御する。すなわち、発光制御部３３は、後述する通信部３４を介してカメラ１０から発光指令を受け、駆動回路３２を制御して発光部３１を発光させる。発光制御部３３は、ＴＴＬ自動調光モード、マニュアルモード等、複数の発光制御モードを備えている。
通信部３４は、当該マスタ照明装置３０が装着されたカメラ１０の通信部１８と電気的に接続され、カメラ１０のカメラ制御部２０との間で各種信号の送受信を行う。
メモリ３５は、当該マスタ照明装置３０の発光作動全般を制御する情報を格納している。
【００２２】
上記マスタ照明装置３０は、カメラ１０に装着され、通信部３４がカメラ１０の通信部１８と電気的に接続される。そして、マスタ照明装置３０は、通信部３４を介して受信するカメラ１０（カメラ制御部２０）から送信された制御信号に基づいて、発光制御部３３が駆動回路３２を制御して発光部３１を発光させる。
【００２３】
リモート照明装置４０は、マスタ照明装置３０と構成は略同様であるが、通信部３４の代わりに、受光部４４を備える。受光部４４は、マスタ照明装置３０からの制御信号光を受光して、その発光に基づいて、発光制御部４３が駆動回路４２を制御して発光部４１を発光させる。
なお、リモート照明装置４０とマスタ照明装置３０として同じものを使用してもよく、その場合、通信部３４と受光部４４とが兼用であってもよい。
【００２４】
つぎに、カメラ制御部２０による、マスタ照明装置３０へのモニタ発光指令制御について説明する。
図２は、モニタ発光制御に係るマスタ照明装置３０及びリモート照明装置４０へのモニタ発光指令およびモニタ露光のタイミングチャートである。
【００２５】
前述したように、モニタ発光制御は、本発光に先立って照明装置３０を小光量で発光させ、撮影時と同様に撮像センサ１２を露光して画像情報を読み出し（撮影し）、被写体からの反射光を検出することで本発光量の演算に用いる被写体反射率の情報を得る。以下、このモニタ発光制御時における露光および画像情報の読み出しをモニタ露光と呼ぶ。
【００２６】
まず、図２を参照して、ＣＭＯＳイメージセンサにおけるローリングシャッタ方式の読み出しによる露光について説明する。
撮像センサ１２はＣＭＯＳイメージセンサによって構成されている。ＣＭＯＳイメージセンサは、フォトダイオードで生成された信号電荷を、フローティングディフュージョンアンプにより電圧信号に変換する。
そして、この電圧信号を垂直走査回路からの行選択信号により水平行単位で列信号線に読み出し、水平走査回路からの水平駆動信号により外部に順次読み出す。このように、ＣＭＯＳイメージセンサは、水平行単位で電圧変換して読み出すため、必然的に、画素の電荷の蓄積の開始と終了の時刻が水平行単位で順次ずれてゆくローリングシャッタ方式となる。
【００２７】
つまり、ＣＭＯＳイメージセンサでは、撮像面の上部から１行毎に読み出し動作を行うため、撮像面の上部と下部とで読み出しのタイミングが異なる。このため、図２中に示すように読み出しライン５１が斜めになってしまう。この読み出しライン５１は、ＶＤ信号のタイミングで開始される。
【００２８】
この読み出しライン５１に対して、撮像面全体での蓄積時間を一定にするために、読み出しライン５１と同じ形でこの読み出しライン５１に先行してリセットライン５２を設定する。このリセットライン５２は、各行毎に、読み出しライン５１よりも所定時間（露光時間）前にリセットをかける。なお、読み出しは、行毎の読み出しＨＤ信号（図示せず）のタイミングで行われるので、読み出しライン５１およびリセットライン５２は階段状になるが、図では直線で略示している。
【００２９】
上記のように、ＣＭＯＳイメージセンサでは、時間軸方向に傾いたリセットライン５２と読み出しライン５１との間において、被写体像を撮影する（画像情報を読み出す）。このため、最下行のリセットから最上行の読み出しまでの時間範囲ではＣＭＯＳイメージセンサにおける全ての画素が受光している（以下、これを全画素受光時間範囲と呼ぶ）が、最上行のリセットから最下行のリセットまでの時間範囲、および、最上行の読み出しから最下行の読み出しまでの時間範囲では、一部の行の画素のみが受光する（以下、これを一部画素受光時間範囲と呼ぶ）。
【００３０】
次に、モニタ発光制御に係るマスタ照明装置３０及びリモート照明装置４０へのモニタ発光指令およびモニタ露光のタイミングについて説明する。
本実施形態において、まず、撮影者のレリーズ操作によって撮影指令が入力されると、カメラ１０からマスタ照明装置３０に対して、リモート照明装置４０へモニタ発光のための通信を行なう指示が送信される（ｔ１）。
ｔ１からＴＡ経過後、マスタ照明装置３０は、リモート照明装置４０のモニタ発光に関するモニタ発光指示コマンドを、リモート照明装置４０に対して送信する（ｔ２）。
ｔ２からＴＢ経過後、マスタ照明装置３０からのリモート照明装置４０のモニタ発光指示コマンドの通信が終了する（ｔ３）。
ｔ３からＴＣ経過後、時間ｔ４で、マスタ照明装置３０において、リモート照明装置４０にモニタ発光を指示するトリガ発光が開始する。
ｔ４からＴＤ経過後、時間ｔ５でトリガ発光が終了する。
ｔ５からＴＥ経過後、時間ｔ６でモニタ発光が開始する。
ｔ６からＴＦ経過後、モニタ発光が終了する。
【００３１】
ここで、カメラ１０からマスタ照明装置３０へのモニタ発光指示ｔ１から、リモート照明装置４０によるモニタ発光終了ｔ７までの時間のＴＢ，ＴＤ，ＴＥはそれぞれ、規格により略一定である。
そこで、マスタ照明装置３０は、トリガ発光を行なった後、リモート照明装置４０のモニタ発光開始のタイミングがわかるので、この時間ｔ６をカメラ１０に送信する。
一方、カメラ１０側では、撮像センサ１２のモニタ露光の画像情報読み出しのタイミングとなるＶＤ信号が一定間隔で発生されている。
【００３２】
そこで、カメラ１０は、モニタ発光が完了した後（ｔ７）、不要な間隔を開けることなく、ＶＤ信号のタイミングに合わせて撮像センサ１２の蓄積電荷の読み出しを開始する（ｔ８）。すなわち、ｔ１から、ＴＡ〜ＴＦ経過後（ｔ７以降）の、ＶＤ信号のタイミング（ｔ８）に合わせて、撮像センサ１２の蓄積電荷の読み出しが開始される。  
【００３３】
このとき、露光開始時間ｔ９は、トリガ発光時間ＴＤとモニタ発光時間ＴＦを全画素受光時間範囲に含む限り、背景光の影響をなくすために、なるべく遅い時間となることが好ましい。
すなわち、ＴＡ，ＴＢ、ＴＣが露光時間に含まれる時間が最小になるように、露光開始時間ｔ９を決定することが好ましい。特に、モニタ発光指示コマンドとして光が発光するＴＢについては、露光時間に含まれないことが好ましい。
【００３４】
しかし、モニタ発光指示コマンドの終了ｔ３からトリガ発光ｔ４までの時間ＴＣ、及びカメラ１０の指示ｔ１からマスタ照明装置３０がモニタ発光指示コマンドを送るまでｔ２の時間ＴＡに関しては、バッテリの状況や環境温度等によって変動する可能性があるため、予め正確に予測することが困難である。
【００３５】
ゆえに、例えばモニタ発光指示コマンドの終了ｔ３からトリガ発光ｔ４までの時間ＴＣが短くなった場合等、状況によって、モニタ発光指示コマンドが送信されている時間ＴＢが一部画素受光時間範囲に含まれることもある。
【００３６】
一例として、図２に示すようにモニタ発光指示コマンドの一部が、一部画素受光時間範囲中に行われると、モニタ発光指示コマンドによる被写体からの反射光を検出する行（図２において（Ａ）で示す）が存在する。また、モニタ発光指示コマンドによる被写体からの反射光を検出する行（Ａ）の中においても、行ごとにモニタ発光指示コマンドの受光時間が異なる。
【００３７】
このため、モニタ発光による、被写体光からの反射光量を正確に検出することが出来ず、リモート照明装置４０における本発光時の適正な発光量を求めることが出来ない。
【００３８】
そこで、本実施形態では、このモニタ発光指示コマンドによる被写体からの反射光を検出する行（Ａ）が、撮像センサの画素中に存在する可能性がある場合に、この行の露光結果検出の重みを軽くする補正を行ない（またはこの行の露光検出結果を用いず）、全体としての露光量を演算し、モニタ発光による被写体からの反射光の影響を演算する。
【００３９】
具体的には、例えば撮像センサ１２の画素において、モニタ発光指示コマンドが含まれる可能性のある行（Ａ）の露光結果（評価値）の重みを相対的に軽く、他の行（図２において（Ｂ）で示す）の露光結果（評価値）の重みを相対的に重くする。
この軽重の付ける補正は、モニタ発光指示コマンドが含まれる可能性があるところを一律に軽くしてもよい。また、モニタ発光指示コマンドを含まれる割合が高い行（例えば最も早く読み出しが開始される行）の重みを最も軽くし、時間が経過するに従って重みを重くするようにしても良い。
さらには、軽重を付けずに、モニタ発光指示コマンドが含まれる可能性のある行（Ａ）の露光結果を採用せずに、モニタ発光指示コマンドが含まれない行（Ｂ）の露光結果のみを用いて、モニタ発光による被写体光の反射光の測光演算を行なうように補正しても良い。
【００４０】
つぎに、カメラ制御部２０による、このモニタ発光制御を、図２に示すタイミングチャートを参照しつつ、図３に示すフローチャートに沿って説明する。なお、図３中および以下の説明において、ステップを「Ｓ」とも略記する。
【００４１】
図３に示すように、モニタ発光制御の前段階として、外付けのマスタ照明装置３０がカメラ１０に装着されると（Ｓ３０１）、マスタ照明装置３０とカメラ１０との間で通信が行われて、カメラ制御部２０は、マスタ照明装置３０のメモリ３５が保持する機種等の固有情報を読み取る。
【００４２】
そして、レリーズ操作によって撮影指令が入力されると（ｔ１）（Ｓ３０３）、カメラ制御部２０は、上記固有情報を元に、露出開始時間ｔ９を求める（Ｓ３０４）。
また、マスタ照明装置３０に対して、モニタ発光指示コマンドの送信を指示する（Ｓ３０５）。
その後、マスタ照明装置３０のモニタ発光指示コマンドにより、リモート照明装置４０はモニタ発光の準備を行ない、マスタ照明装置３０のトリガ発光によりリモート照明装置４０はモニタ発光を行なう。
一方、カメラ１０は、上述のように決定した露出開始時間ｔ９より露光を開始する（Ｓ３０６）。
【００４３】
そして、マスタ照明装置３０はトリガ発光を行なった後、リモート照明装置４０のモニタ発光の時間を予測して、モニタ発光のタイミングをカメラ１０に送信する。
カメラ１０はそのモニタ発光のタイミング信号を受信する（Ｓ３０７）。
この受信の後、カメラ制御部２０は、撮像センサ１２の蓄積電荷の読み出しを開始させる（ｔ８）（Ｓ３０８）。
【００４４】
それと同時にカメラ制御部２０は、モニタ発光指示コマンドが露光時間に含まれているか推定する（Ｓ３０９）。
この推定は、予め規格により決められているＴＤ，ＴＥ，ＴＢの情報及びＴＣ、ＴＡの予測値と、ｔ９およびｔ１からｔ７までの時間とよって行なう。
そして、モニタ発光指示コマンドが露光時間に含まれている可能性がある場合、例えば撮像センサ１２の画素において、モニタ発光指示コマンドが含まれる可能性のある行（図２において（Ａ）で示す）の露光結果（評価値）の重みを相対的に軽く、他の行（図２において（Ｂ）で示す）の露光結果（評価値）の重みを相対的に重くする補正を行なう（Ｓ３１０）。
【００４５】
以上、本実施形態によると、モニタ発光指示コマンドによる被写体からの反射光を検出する行（Ａ）が、撮像センサの画素中に存在する可能性がある場合に、この行の露光結果検出の重みを軽くし（またはこの行の露光検出結果を用いず）、全体としての露光量を演算し、モニタ発光による被写体からの反射光の影響を演算する。
【００４６】
これにより、モニタ発光指示コマンドの発光が、露光結果に与える影響が軽減されるので、モニタ発光による、被写体光からの反射光量を正確に検出することが出来、リモート照明装置４０における本発光時の発光量を正確に求めることが可能となる。
【符号の説明】
【００４７】
１０：カメラ、１２：撮像センサ、１７：メモリ、１８：通信部、２０：カメラ制御部、３０：マスタ照明装置、３４：通信部、４０：リモート照明装置
【図１】
2014035442.tif 000003
【図２】
2014035442.tif 000004
【図３】
2014035442.tif 000005